(57)【特許請求の範囲】
【請求項１】
端子を収納するための収納部、及び、この収納部の内部と連通した状態で収納部の上面中央に突設され且つプローブの筒状体を嵌合可能な筒状部を有する導電性のハウジングと、収納部の上面中央の下側に収納され、上記筒状体が上記筒状部に嵌合された際に、上記筒状体の中心軸上に配置された針状体が接触可能な固定端子と、上端部が上記固定端子の一方端部に下側から圧接し且つ下端部が収納部の下面に露出した状態で、収納部に収納された第１の可動端子と、上端部が上記固定端子の他方端部に下側から圧接し且つ下端部が収納部の下面に露出した状態で、収納部に収納された第２の可動端子とを備えたコネクタであって、
上記収納部の上面であって第１の可動端子の上端部の真上の位置に穿設された第１の孔と、
上記収納部の上面であって第２の可動端子の上端部の真上の位置に穿設された第２の孔と、
上端部が上記第１の孔から突出した状態で、上記第１の可動端子の上端部上に固着された第１の絶縁性部材と、
上端部が上記第２の孔から突出した状態で、上記第２の可動端子の上端部上に固着された第２の絶縁性部材と
を備えることをことを特徴とするコネクタ。
【請求項２】
検査装置に接続される同軸ケーブルの内部導体に接続された導電性の請求項１に記載の針状体と、同軸ケーブルの外部導体に接続され且つ上記針状体が内部の中心軸上に配置された導電性の請求項１に記載の筒状体とを備えた請求項１に記載のプローブであって、上記筒状体の先端部側面に、突出部を設けたプローブと、
請求項１に記載のコネクタと
を備えて成ることを特徴とする接続経路切換装置。
【請求項３】
端子を収納するための収納部、及び、この収納部の内部と連通した状態で収納部の上面中央に突設され且つプローブの筒状体を嵌合可能な筒状部を有する導電性のハウジングと、収納部の上面中央の下側に収納され、上記筒状体が上記筒状部に嵌合された際に、上記筒状体の中心軸上に配置された針状体が接触可能な固定端子と、上端部が上記固定端子の一方端部に下側から圧接し且つ下端部が収納部の下面に露出した状態で、収納部に収納された第１の可動端子と、上端部が上記固定端子の他方端部に下側から圧接し且つ下端部が収納部の下面に露出した状態で、収納部に収納された第２の可動端子とを備えたコネクタであって、
上記収納部の上面であって第１の可動端子の上端部の真上の位置に穿設された第１の孔と、
上記収納部の上面であって第２の可動端子の上端部の真上の位置に穿設された第２の孔と
を備えることを特徴とするコネクタ。
【請求項４】
検査装置に接続される同軸ケーブルの内部導体に接続された導電性の請求項３に記載の針状体と、同軸ケーブルの外部導体に接続され且つ上記針状体が内部の中心軸上に配置された導電性の請求項３に記載の筒状体とを備えた請求項３に記載のプローブであって、請求項３に記載のコネクタの上記第１の孔又は第２の孔のいずれかに貫通可能な一つの絶縁性部材を、上記筒状体の先端から突出するように当該筒状体の先端部に固着したプローブと、
請求項３に記載のコネクタと
を備えて成ることを特徴とする接続経路切換装置。
【請求項５】
端子を収納するための収納部、及び、この収納部の内部と連通した状態で収納部の上面中央に突設され且つプローブの筒状体を嵌合可能な筒状部を有する導電性のハウジングと、収納部の上面中央の下側に収納され、上記筒状体が上記筒状部に嵌合された際に、上記筒状体の中心軸上に配置された針状体が接触可能な固定端子と、上端部が上記固定端子の一方端部に下側から圧接し且つ下端部が収納部の下面に露出した状態で、収納部に収納された第１の可動端子と、上端部が上記固定端子の他方端部に下側から圧接し且つ下端部が収納部の下面に露出した状態で、収納部に収納された第２の可動端子とを備えたコネクタであって、
上記収納部の上面であって第１の可動端子の上端部の真上の位置に穿設された第１の孔と、
上記収納部の上面であって第２の可動端子の上端部の真上の位置に穿設された第２の孔と、
上記第１の可動端子の上端部上に固着された第１の絶縁シートと、
上記第２の可動端子の上端部上に固着された第２の絶縁シートと
を備えることを特徴とするコネクタ。
【請求項６】
検査装置に接続される同軸ケーブルの内部導体に接続された導電性の請求項５に記載の針状体と、同軸ケーブルの外部導体に接続され且つ上記針状体が内部の中心軸上に配置された導電性の請求項５に記載の筒状体とを備えた請求項５に記載のプローブであって、上記筒状体の先端部に、当該先端部の一部を突出させて、請求項５に記載のコネクタの上記第１の孔又は第２の孔のいずれかに貫通可能に形成した突出部を備えるプローブと、
請求項５に記載のコネクタと
を備えて成ることを特徴とする接続経路切換装置。
【発明の詳細な説明】
【技術分野】
【０００１】
この発明は、携帯電話等の無線通信機の送受信回路とアンテナとの接続を検査装置への接続に切り換えるためのコネクタ及び接続経路切換装置に関するものである。
【背景技術】
【０００２】
図２２は、従来のコネクタを示す断面図である。
図２２に示すように、従来のコネクタ１００は、可動片１０１と固定片１１１とを、挿入孔１２１を中心に有するハウジング１２０の内部に組み付けた構成になっている（例えば、特許文献１及び特許文献２を参照）。
図２３は、図２２のコネクタの実装例を示す模式図であり、図２４は、コネクタの機能を示す断面図である。
このコネクタ１００は、図２３に示すように、無線通信機の基板２００に設けられたアンテナ２０１と送受信回路であるＲＦ回路２１０との間に実装することができる。
具体的には、図２４の（ａ）に示すように、ハウジング１２０の挿入孔１２１を上側に向けて、可動片１０１の端子１０３をＲＦ回路２１０からの線路２１１に接続すると共に、固定片１１１の端子１１３をアンテナ２０１に向かう線路２０２に接続する。
かかる状態では、可動片１０１の接点部１０２と固定片１１１の接点部１１２とが接触しており、図２３に示すアンテナ２０１とＲＦ回路２１０とが、このコネクタ１００を通じて電気的に接続している。これにより、通常の無線通信が可能である。
かかる状態で、図２４の（ｂ）に示すように、検査装置のプローブ３００を挿入孔１２１に挿入すると、プローブ３００が可動片１０１に接触する。そして、可動片１０１がプローブ３００の先端で押下され、可動片１０１の接点部１０２と固定片１１１の接点部１１２とが離れる。
かかる状態では、可動片１０１とプローブ３００とが接触しており、図２３に示すＲＦ回路２１０とプローブ３００とが、このコネクタ１００を通じて電気的に接続した状態になる。これにより、ＲＦ回路２１０からの信号をプローブ３００を通じて、図示しない検査装置によって検査することができる。
【先行技術文献】
【特許文献】
【０００３】
【特許文献１】特開平０９−１４７９９６号公報
【特許文献１】特開平１０−３９６８号公報
【発明の概要】
【発明が解決しようとする課題】
【０００４】
しかし、上記した従来のコネクタでは、次のような問題がある。
携帯電話等の無線通信機では、ノイズがアンテナ２０１に結合することよって、受信感度が抑圧されるという問題が発生する（イントラシステムＥＭＣ）。
このため、かかるノイズに対する対策が、無線通信機の開発又は試作の段階で行われる。この対策作業においては、基板２００のアンテナ２０１に結合しているノイズを調査しなければならない。
しかし、上記した従来の技術では、ＲＦ回路２１０の検査しか行うことができない。
このため、次の２つの接続方法を用いて、検査装置とアンテナ２０１とを接続し、アンテナ２０１に結合しているノイズの検査を行っている。
【０００５】
図２５は、第１の接続方法を示す模式図であり、図２６は、第２の接続方法を示す模式図である。
第１の接続方法は、図２５に示すように、アンテナ２０１とコネクタ１００との間の線路２０２を切断し、セミリジットケーブル３０１の一方端を、半田３０２によって、アンテナ２０１からの線路２０２に接続すると共に、他方端を、検査装置３１０に接続する。
これにより、アンテナ２０１に結合してるノイズをセミリジットケーブル３０１を通じて検査装置３１０に導く。
しかし、この方法は、線路２０２の切断加工やセミリジットケーブル３０１の切断加工及び半田付け等の作業が必要になるので、検査前の準備作業に長時間を要する。また、無線通信機２００によっては、線路２０２の切断加工が困難な場合もある。
【０００６】
一方、第２の接続方法は、図２６に示すように、ＲＦ回路検査用のコネクタ１００に加え、もう一つのコネクタ１００′を、アンテナ２０１とコネクタ１００との間の線路２０２上に実装する。この際、コネクタ１００′をＲＦ回路２１０側のコネクタ１００とは逆向きに接続して、アンテナ検査用とする。
これにより、コネクタ１００′を用いて、アンテナ２０１のノイズを検査することができる。
しかし、この方法は、２つのコネクタ１００，１００′を実装しなければならないので、部品コストが高くなり、また、コネクタ１００実装用のランドの他にコネクタ１００′実装用のランドを作製する必要があり、製造コストも高く付く。さらに、コネクタ１００′の実装スペースをも確保しなければならないので、無線通信機２００の小型化を阻害するおそれがある。
【０００７】
この発明は、上述した課題を解決するためになされたもので、１つのコネクタで、無線通信機の送受信回路と検査装置との接続だけでなく、アンテナと検査装置との接続にも切り換えることができるコネクタ及び接続経路切換装置を提供することを目的とする。
【課題を解決するための手段】
【０００９】
上記課題を解決するために、請求項１の発明は、端子を収納するための収納部、及び、この収納部の内部と連通した状態で収納部の上面中央に突設され且つプローブの筒状体を嵌合可能な筒状部を有する導電性のハウジングと、収納部の上面中央の下側に収納され、筒状体が筒状部に嵌合された際に、筒状体の中心軸上に配置された針状体が接触可能な固定端子と、上端部が固定端子の一方端部に下側から圧接し且つ下端部が収納部の下面に露出した状態で、収納部に収納された第１の可動端子と、上端部が固定端子の他方端部に下側から圧接し且つ下端部が収納部の下面に露出した状態で、収納部に収納された第２の可動端子とを備えたコネクタであって、収納部の上面であって第１の可動端子の上端部の真上の位置に穿設された第１の孔と、収納部の上面であって第２の可動端子の上端部の真上の位置に穿設された第２の孔と、上端部が第１の孔から突出した状態で、第１の可動端子の上端部上に固着された第１の絶縁性部材と、上端部が第２の孔から突出した状態で、第２の可動端子の上端部上に固着された第２の絶縁性部材とを備える構成とした。
【００１０】
請求項２の発明に係る接続経路切換装置は、検査装置に接続される同軸ケーブルの内部導体に接続された導電性の請求項１に記載の針状体と、同軸ケーブルの外部導体に接続され且つ針状体が内部の中心軸上に配置された導電性の請求項１に記載の筒状体とを備えた請求項１に記載のプローブであって、筒状体の先端部側面に、突出部を設けたプローブと、請求項１に記載のコネクタとを備えて成る構成とした。
かかる構成により、コネクタを無線通信機の基板に載せ、第１の可動端子の下端部をアンテナから引き出された線路に接続すると共に、第２の可動端子の下端部を送受信回路からの線路に接続し、導電性のハウジングを基板のグランドに接続することができる。これにより、アンテナと送受信回路とを接続した第１の接続経路がコネクタを通じて形成される。
かかる状態で、プローブの筒状体をコネクタの筒状部に嵌合すると、プローブの針状体が、コネクタの固定端子に接触すると共に、プローブの筒状体がコネクタのハウジングを通じて基板のグランドに接続される。
そして、プローブの筒状体の先端部側面に突設された突出部を、コネクタの第１の孔から突出した第１の絶縁性部材の真上に位置させた状態で、筒状体を筒状部に嵌合させると、突出部が第１の絶縁性部材を押し下げて、第１の可動端子の上端部を下降させる。これにより、固定端子と第１の可動端子とが非接触状態になり、プローブの針状体は、第２の可動端子にのみ接触した状態になる。この結果、送受信回路と検査装置とを接続した第２の接続経路がコネクタ及びプローブを通じて形成される。
これにより、送受信回路からの信号を、プローブを通じて検査装置に送り、信号を検査装置で検査することができる。
また、プローブの突出部を、コネクタの第２の孔から突出した第２の絶縁性部材の真上に位置させた状態で、筒状体を筒状部に嵌合させると、突出部が、第２の絶縁性部材を押し下げて、第２の可動端子の上端部を下降させる。これにより、固定端子と第２の可動端子とが非接触状態になり、針状体は、第１の可動端子にのみ接触した状態になる。この結果、アンテナと検査装置とを接続した第３の接続経路がコネクタ及びプローブを通じて形成される。
これにより、アンテナからの信号を、プローブを通じて検査装置に送り、信号を検査装置で検査することができる。
【００１２】
請求項３の発明は、端子を収納するための収納部、及び、この収納部の内部と連通した状態で収納部の上面中央に突設され且つプローブの筒状体を嵌合可能な筒状部を有する導電性のハウジングと、収納部の上面中央の下側に収納され、筒状体が筒状部に嵌合された際に、筒状体の中心軸上に配置された針状体が接触可能な固定端子と、上端部が固定端子の一方端部に下側から圧接し且つ下端部が収納部の下面に露出した状態で、収納部に収納された第１の可動端子と、上端部が固定端子の他方端部に下側から圧接し且つ下端部が収納部の下面に露出した状態で、収納部に収納された第２の可動端子とを備えたコネクタであって、収納部の上面であって第１の可動端子の上端部の真上の位置に穿設された第１の孔と、収納部の上面であって第２の可動端子の上端部の真上の位置に穿設された第２の孔とを備える構成とした。
【００１３】
請求項４の発明に係る接続経路切換装置は、検査装置に接続される同軸ケーブルの内部導体に接続された導電性の請求項３に記載の針状体と、同軸ケーブルの外部導体に接続され且つ針状体が内部の中心軸上に配置された導電性の請求項３に記載の筒状体とを備えた請求項３に記載のプローブであって、請求項３に記載のコネクタの第１の孔又は第２の孔のいずれかに貫通可能な一つの絶縁性部材を、筒状体の先端から突出するように当該筒状体の先端部に固着したプローブと、請求項３に記載のコネクタとを備えて成る構成とした。
かかる構成により、コネクタを無線通信機の基板に載せ、第１の可動端子の下端部をアンテナから引き出された線路に接続すると共に、第２の可動端子の下端部を送受信回路からの線路に接続し、導電性のハウジングを基板のグランドに接続することができる。これにより、アンテナと送受信回路とを接続した第１の接続経路がコネクタを通じて形成される。
かかる状態で、プローブの先端から突出した絶縁性部材を、コネクタの第１の孔に貫通させ、筒状体を筒状部に嵌合させると、絶縁性部材が、第１の孔の真下にある第１の可動端子の上端部を押し下げる。これにより、固定端子と第１の可動端子とが非接触状態になり、針状体とアンテナとが電気的に非接続状態になる。この結果、プローブの針状体は、コネクタの固定端子，第２の可動端子を通じて送受信回路にのみ電気的に接続した状態になり、送受信回路と検査装置とを接続した第２の接続経路がコネクタ及びプローブを通じて形成される。
また、プローブの絶縁性部材を、コネクタの第２の孔に貫通させ、筒状体を筒状部に嵌合させると、絶縁性部材が、第２の孔の真下にある第２の可動端子の上端部を押し下げる。これにより、固定端子と第２の可動端子とが非接触状態になり、針状体と送受信回路とが電気的に非接続状態になる。この結果、プローブの針状体は、コネクタの固定端子，第１の可動端子を通じてアンテナにのみ電気的に接続した状態になり、アンテナと検査装置とを接続した第３の接続経路がコネクタ及びプローブを通じて形成される。
【００１５】
請求項５の発明は、端子を収納するための収納部、及び、この収納部の内部と連通した状態で収納部の上面中央に突設され且つプローブの筒状体を嵌合可能な筒状部を有する導電性のハウジングと、収納部の上面中央の下側に収納され、筒状体が筒状部に嵌合された際に、筒状体の中心軸上に配置された針状体が接触可能な固定端子と、上端部が固定端子の一方端部に下側から圧接し且つ下端部が収納部の下面に露出した状態で、収納部に収納された第１の可動端子と、上端部が固定端子の他方端部に下側から圧接し且つ下端部が収納部の下面に露出した状態で、収納部に収納された第２の可動端子とを備えたコネクタであって、収納部の上面であって第１の可動端子の上端部の真上の位置に穿設された第１の孔と、収納部の上面であって第２の可動端子の上端部の真上の位置に穿設された第２の孔と、第１の可動端子の上端部上に固着された第１の絶縁シートと、第２の可動端子の上端部上に固着された第２の絶縁シートとを備える構成とした。
【００１６】
請求項６の発明に係る接続経路切換装置は、検査装置に接続される同軸ケーブルの内部導体に接続された導電性の請求項５に記載の針状体と、同軸ケーブルの外部導体に接続され且つ針状体が内部の中心軸上に配置された導電性の請求項５に記載の筒状体とを備えた請求項５に記載のプローブであって、筒状体の先端部に、当該先端部の一部を突出させて、請求項５に記載のコネクタの第１の孔又は第２の孔のいずれかに貫通可能に形成した突出部を備えるプローブと、請求項５に記載のコネクタとを備えて成る構成とした。
かかる構成により、コネクタを無線通信機の基板に載せ、第１の可動端子の下端部をアンテナから引き出された線路に接続すると共に、第２の可動端子の下端部を送受信回路からの線路に接続し、導電性のハウジングを基板のグランドに接続することができる。これにより、アンテナと送受信回路とを接続した第１の接続経路がコネクタを通じて形成される。
かかる状態で、プローブの突出部をコネクタの第１の孔に貫通させ、筒状体を筒状部に嵌合させると、突出部が、第１の可動端子の上端部に固着された第１の絶縁性シートに突き当たる。これにより、第１の絶縁性部材が突出部によって押し下げられ、固定端子と第１の可動端子とが非接触状態になり、針状体とアンテナとが電気的に非接続状態になる。この結果、プローブの針状体は、コネクタの固定端子，第２の可動端子を通じて送受信回路にのみ電気的に接続した状態になり、送受信回路と検査装置とを接続した第２の接続経路がコネクタ及びプローブを通じて形成される。
また、プローブの突出部をコネクタの第２の孔に貫通させ、筒状体を筒状部に嵌合させると、突出部が、第２の絶縁性シートを通じて、第２の可動端子の上端部を押し下げる。これにより、固定端子と第２の可動端子とが非接触状態になり、針状体と送受信回路とが電気的に非接続状態になる。この結果、プローブの針状体は、コネクタの固定端子，第１の可動端子を通じてアンテナにのみ電気的に接続した状態になり、アンテナと検査装置とを接続した第３の接続経路がコネクタ及びプローブを通じて形成される。
【発明の効果】
【００１７】
以上詳しく説明したように、この発明によれば、プローブをコネクタに接続するだけで、無線通信機の送受信回路からアンテナへの接続経路、送受信回路から検査装置の接続経路、及びアンテナから検査装置の接続経路という三つの接続経路を、１つの装置で切り換えることができるという優れた効果がある。
この結果、図２２〜図２６に示した従来のコネクタのように、検査装置をアンテナに接続するために、線路２０２の切断加工やセミリジットケーブル３０１の切断加工及び半田付け等作業を行ったり、２つのコネクタ１００，１００′を実装したりする必要がないので、検査前の準備作業の短縮化、部品コストや製造コストの低廉化、及び、無線通信機等の電子機器の小型化を図ることができる。
これにより、無線通信機等の開発段階の試作機等において、容易かつ、効率的に受信感度抑圧の対策が可能となる。
【図面の簡単な説明】
【００１８】
【図１】この発明の第１実施例に係る接続経路切換装置の斜視図である。
【図２】図１に示すプローブの矢視Ａ−Ａ断面図である。
【図３】コネクタの分解斜視図である。
【図４】図１に示すコネクタの矢視Ｂ−Ｂ断面図である。
【図５】コネクタの実装方法を示す斜視図である。
【図６】コネクタの実装状態を示す断面図である。
【図７】第１の接続経路を示す模式図である。
【図８】プローブをコネクタに接続する直前の状態を示す断面図である。
【図９】プローブをコネクタに接続した状態を示す断面図である。
【図１０】プローブの突出部とコネクタの第１の絶縁性部材との位置関係を示す平面図である。
【図１１】第２の接続経路を示す模式図である。
【図１２】プローブをコネクタに接続した状態を示す断面図である。
【図１３】プローブの突出部とコネクタの第２の絶縁性部材との位置関係を示す平面図である。
【図１４】第３の接続経路を示す模式図である。
【図１５】この発明の第２実施例に係る接続経路切換装置の斜視図である。
【図１６】図１５に示すプローブの矢視Ｃ−Ｃ断面図である。
【図１７】図１５に示すコネクタの矢視Ｄ−Ｄ断面図である。
【図１８】プローブをコネクタに接続して第２の接続経路を実現した状態を示す断面図である。
【図１９】プローブをコネクタに接続して第３の接続経路を実現した状態を示す断面図である。
【図２０】この発明の第３実施例に係る接続経路切換装置に適用されるプローブの斜視図である。
【図２１】第３実施例の接続経路切換装置に適用されるコネクタの断面図である。
【図２２】従来のコネクタを示す断面図である。
【図２３】図２２のコネクタの実装例を示す模式図である。
【図２４】コネクタの機能を示す断面図である。
【図２５】第１の接続方法を示す模式図である。
【図２６】第２の接続方法を示す模式図である。
【発明を実施するための形態】
【００１９】
以下、この発明の最良の形態について図面を参照して説明する。
【実施例１】
【００２０】
図１は、この発明の第１実施例に係る接続経路切換装置の斜視図である。
図１に示すように、この実施例の接続経路切換装置は、プローブ１とコネクタ２とを備えて成る。
【００２１】
図２は、図１に示すプローブ１の矢視Ａ−Ａ断面図である。
図１に示すように、プローブ１は、検査装置３１０からの同軸ケーブル３２０の先端部に設けられている。
プローブ１は、図２に示すように、導電性の針状体３と導電性の筒状体としての円筒体４とで構成されている。
針状体３は、円筒体４の中心軸上に配置されており、その後端部（図の左側端部）は、同軸ケーブル３２０の内部導体３２１に接続され、その先端部（図の右側端部）は、円筒体４の先端面４ｂから若干突出している。
円筒体４は、外部導体３２２に接続されている。そして、突出部４０が、この円筒体４の先端部の側面４ａに形成されている。この突出部４０の先端面４１は、扇状に形成され、円筒体４の先端面４ｂと面一に設定されている。
【００２２】
図３は、コネクタ２の分解斜視図であり、図４は、図１に示すコネクタ２の矢視Ｂ−Ｂ断面図である。
コネクタ２は、図１に示すように、ブロック６が嵌め込まれた導電性のハウジング５と、第１の可動端子７−１と、第２の可動端子７−２と、図示しない固定端子７とを備えている。
具体的には、図３及び図４に示すように、ハウジング５は、収納部５０と、筒状部としての円筒部５１とで形成されている。
収納部５０は、箱状をなし、互いに内側に折り曲げられた接続部５０ｂ，５０ｂを下部に有している。また、円筒部５１は、収納部５０の上面５０ａの中央部に突設され、その外径は、プローブ１の円筒体４の内径にほぼ等しく設定されている。そして、円筒部５１の中空部５１ａは、収納部５０の内部５０ｃに連通している。
【００２３】
ブロック６は、端子保持部６０と、この端子保持部６０の上面中央部に形成された円柱部６１とで成る絶縁性のブロック体である。
詳しくは、端子保持部６０が、ハウジング５の収納部５０の内部５０ｃに収納され、円柱部６１が、円筒部５１の中空部５１ａに収納されている。この円柱部６１の外径，高さは、円筒部５１の内径，高さにほぼ等しく設定され、その中心には、円柱部６１の上面から下面にかけて貫通する針状体挿入孔６３が穿設されている。
【００２４】
固定端子７は、導電性の円板体であり、図４に示すように、ブロック６の内側に収納され、円柱部６１の真下に固着されている。すなわち、固定端子７が、円柱部６１の針状体挿入孔６３を下側から塞いだ状態になっている。これにより、図１に示すプローブ１の針状体３が針状体挿入孔６３に進入したときに、針状体３の先端がこの固定端子７に接触するようになっている。
第１の可動端子７−１（第２の可動端子７−２）は、ほぼＵ字状なす導電性部材である。長い上端部７１が、端子保持部６０の前面６０ａ（後面６０ｂ）の上部に形成された窓６４から端子保持部６０内にほぼ水平に挿入されている。そして、短い下端部７２が、端子保持部６０の前面６０ａ（後面６０ｂ）の下部に形成された切り欠き６５に係合され、ハウジング５の収納部５０の下面に露出した状態になっている。
そして、端子保持部６０内に進入している第１の可動端子７−１の上端部７１が、固定端子７の左方端部に下側から圧接し、第２の可動端子７−２の上端部７１が、固定端子７の右方端部に下側から圧接している。
つまり、固定端子７と第１の可動端子７−１と第２の可動端子７−２とは、ブロック６に保持された状態で、ハウジング５の収納部５０内に収納されている。これにより、固定端子７と第１の可動端子７−１と第２の可動端子７−２が、ハウジング５に電気的に接触しないようになっている。
【００２５】
このようなコネクタ２には、第１及び第２の孔８１，８２と、これら第１及び第２の孔８１，８２から上方に突出した第１及び第２の絶縁性部材８−１，８−２とが設けられている。
具体的には、図３に示すように、第１の孔８１が、ハウジング５の収納部５０の上面５０ａであって、第１の可動端子７−１の上端部７１の真上の位置に穿設され、第２の孔８２が、第２の可動端子７−２の上端部７１の真上の位置に穿設されている。そして、柱状の第１の絶縁性部材８−１が、第１の可動端子７−１の上端部７１上に起立した状態で固着されており、その上部が、第１の孔８１から上方に突出している。また、柱状の第２の絶縁性部材８−２は、第２の可動端子７−２の上端部７１上に起立した状態で固着されており、その上部が、第２の孔８２から上方に突出している。
【００２６】
次に、この実施例の接続経路切換装置が示す作用及び効果について説明する。
図５は、コネクタ２の実装方法を示す斜視図であり、図６は、コネクタ２の実装状態を示す断面図であり、図７は、第１の接続経路を示す模式図である。
図５に示すように、コネクタ２を無線通信機の基板２００に実装する場合には、ハウジング５の円筒部５１を上側にして、第１の可動端子７−１を、基板２２０上のアンテナ２０１の線路２０２上に配すると共に、第２の可動端子７−２を、ＲＦ回路２１０の線路２１１上に配し、ハウジング５の接続部５０ｂ，５０ｂを、１対のグランド用ランド２３１，２３１上に配する。
そして、図６に示すように、第１の可動端子７−１の下端部７２を線路２０２に接続すると共に、第２の可動端子７−２の下端部７２を線路２１１に接続し、ハウジング５の接続部５０ｂ，５０ｂを、グランド用ランド２３１，２３１に接続する。
これにより、ＲＦ回路２１０（図５参照）の線路２１１と第２の可動端子７−２と固定端子７と第１の可動端子７−１とアンテナ２０１（図５参照）の線路２０２とが電気的に接続した状態になる。この結果、図７に示すように、第１の接続経路が実現され、ＲＦ回路２１０とアンテナ２０１とがコネクタ２を通じて接続した状態になる。また、コネクタ２のハウジング５は、図６に示すように、グランド用ランド２３１，２３１とスルーホール２３２とを通じて裏面のベタグランド２３０に電気的に接続されている。
【００２７】
図８は、プローブ１をコネクタ２に接続する直前の状態を示す断面図である。
プローブ１を、基板２００に実装されたコネクタ２に接続する場合には、図８に示すように、プローブ１をコネクタ２の上方に配し、その先端部をコネクタ２の円筒部５１側に向け、針状体３とブロック６の針状体挿入孔６３とを一致させる。
【００２８】
図９は、プローブ１をコネクタ２に接続した状態を示す断面図であり、図１０は、プローブ１の突出部４０とコネクタ２の第１の絶縁性部材８−１との位置関係を示す平面図であり、図１１は、第２の接続経路を示す模式図である。
第２の接続経路を実現したい場合には、図９及び図１０に示すように、プローブ１の突出部４０を、コネクタ２の第１の孔８１から突出している第１の絶縁性部材８−１の真上に位置させた状態で、プローブ１をコネクタ２側に下降させて、円筒体４を円筒部５１に嵌合させると共に、針状体３を針状体挿入孔６３に挿入する。
すると、図９に示すように、針状体３が、針状体挿入孔６３内に進入し、コネクタ２内部の固定端子７に接触する。
これと並行して、プローブ１の突出部４０が、第１の絶縁性部材８−１を押下して、第１の可動端子７−１の上端部７１を下降させる。これにより、第１の可動端子７−１と固定端子７とが非接触状態になり、プローブ１の針状体３が、固定端子７を通じて、コネクタ２の第２の可動端子７−２にのみ電気的に接続した状態になる。
この結果、ＲＦ回路２１０の線路２１１と第２の可動端子７−２と固定端子７とプローブ１の針状体３とが電気的に接続した状態になり、プローブ１の円筒体４が、コネクタ２のハウジング５を通じて基板２２０のベタグランド２３０に接地された状態になる。このようにして、図１１に示すように、第２の接続経路が実現され、ＲＦ回路２１０と検査装置３１０とがコネクタ２とプローブ１とを通じて接続した状態になる。
これにより、ＲＦ回路２１０からの信号を、プローブ１を通じて検査装置３１０に送り、この信号を、検査装置３１０で検査することができる。
【００２９】
図１２は、プローブ１をコネクタ２に接続した状態を示す断面図であり、図１３は、プローブ１の突出部４０とコネクタ２の第１の絶縁性部材８−１との位置関係を示す平面図であり、図１４は、第３の接続経路を示す模式図である。
第３の接続経路を実現したい場合には、図１２及び図１３に示すように、プローブ１の突出部４０を、コネクタ２の第２の孔８２から突出している第２の絶縁性部材８−２の真上に位置させた状態で、円筒体４を円筒部５１に嵌合させると共に、針状体３を針状体挿入孔６３に挿入する。
すると、図１２に示すように、針状体３が、コネクタ２内部の固定端子７に接触すると共に、突出部４０が、第２の絶縁性部材８−２を押下する。これにより、第２の可動端子７−２の上端部７１が第２の絶縁性部材８−２と一体に下降し、固定端子７と非接触状態になる。この結果、プローブ１の針状体３が、固定端子７を通じて、コネクタ２の第１の可動端子７−１と電気的に接続した状態になり、アンテナ２０１の線路２０２と第１の可動端子７−１と固定端子７とプローブ１の針状体３とが電気的に接続した状態になる。
これにより、図１４に示すように、第３の接続経路が実現され、アンテナ２０１と検査装置３１０とがコネクタ２とプローブ１とを通じて接続した状態になる。
したがって、アンテナ２０１からの信号を、プローブ１を通じて検査装置３１０に送り、この信号を、検査装置３１０で検査することができる。
【００３０】
以上のように、この実施例の接続経路切換装置によれば、プローブ１とコネクタ２とを、非接続状態又は接続状態にすることで、三つの接続経路を切り換えることができる。
【００３１】
（実施例２）
次に、この発明の第２実施例について説明する。
図１５は、この発明の第２実施例に係る接続経路切換装置の斜視図であり、図１６は、図１５に示すプローブ１の矢視Ｃ−Ｃ断面図であり、図１７は、図１５に示すコネクタ２の矢視Ｄ−Ｄ断面図である。
この実施例の接続経路切換装置は、第１及び第２の可動端子７−１，７−２と固定端子７との接離を行う絶縁性部材がプローブ１側に設けられている点が、上記第１実施例と異なる。
【００３２】
すなわち、図１５及び図１６に示すように、一つの絶縁性部材８が、プローブ１の円筒体４の先端から突出するように円筒体４の先端面４ｂに固着されている。
この絶縁性部材８は、円筒体４と同厚且つ同曲率に設定された断面弧状の部材である。
【００３３】
図１７に示すように、コネクタ２には、プローブ１の絶縁性部材８を貫通可能な第１の孔８１′と第２の孔８２′とが、ハウジング５の収納部５０の上面５０ａであって、且つ第１の可動端子７−１の上端部７１と第２の可動端子７−２の上端部７１の真上の位置にそれぞれ設けられている。
これら第１及び第２の孔８１′，８２′は、絶縁性部材８の断面形状と同形の弧状の孔であり、円筒体４を円筒部５１に嵌合させた際に、絶縁性部材８を第１又は第２の孔８１′，８２′のいずれかに貫通させることができるように、円筒部５１の根本に形成されている。
【００３４】
次に、この実施例の接続経路切換装置が示す作用及び効果について説明する。
図１８は、プローブ１をコネクタ２に接続して第２の接続経路を実現した状態を示す断面図であり、図１９は、プローブ１をコネクタ２に接続して第３の接続経路を実現した状態を示す断面図である。
この実施例のコネクタ２も、図６に示したように、第１の可動端子７−１の下端部７２と第２の可動端子７−２の下端部７２とを、線路２０２，２１１にそれぞれ接続し、ハウジング５の接続部５０ｂ，５０ｂを、グランド用ランド２３１，２３１に接続することで、第１の接続経路を実現することができる。
【００３５】
第２の接続経路を実現したい場合には、図１８に示すように、プローブ１の絶縁性部材８を、コネクタ２の第１の孔８１′の真上に位置させた状態で、円筒体４を円筒部５１に嵌合させると共に、針状体３を針状体挿入孔６３に挿入する。
これにより、針状体３が、針状体挿入孔６３内に進入し、コネクタ２内部の固定端子７に接触する。
また、プローブ１の絶縁性部材８が、第１の孔８１′を貫通して、第１の可動端子７−１の上端部７１を押下する。
これにより、第１の可動端子７−１と固定端子７とが非接触状態になると共に、プローブ１の針状体３が、固定端子７を通じて、コネクタ２の第２の可動端子７−２と電気的に接続した状態になり、第２の接続経路が実現される。
【００３６】
第３の接続経路を実現したい場合には、図１９に示すように、プローブ１の円筒体４をコネクタ２の円筒部５１に嵌合させると共に、針状体３を針状体挿入孔６３に挿入する。  これにより、針状体３がコネクタ２内部の固定端子７に接触すると共に、プローブ１の絶縁性部材８が、第２の孔８２′を貫通して、第２の可動端子７−２の上端部７１を押下する。
この結果、第２の可動端子７−２と固定端子７とが非接触状態になると共に、プローブ１の針状体３が、固定端子７を通じて、コネクタ２の第１の可動端子７−１と電気的に接続した状態になり、第３の接続経路が実現される。
その他の構成、作用及び効果は、上記第１実施例と同様であるので、その記載は省略する。
【００３７】
（実施例３）
次に、この発明の第３実施例について説明する。
図２０は、この発明の第３実施例に係る接続経路切換装置に適用されるプローブ１の斜視図であり、図２１は、この実施例の接続経路切換装置に適用されるコネクタ２の断面図である。
この実施例の接続経路切換装置は、プローブ１側に第２実施例の絶縁性部材８と同形の突出部を設けた点が、上記第２実施例と異なる。
【００３８】
すなわち、図２０に示すように、上記第２実施例の絶縁性部材８と同形の突出部４０′を円筒体４の先端に形成した。
コネクタ２は、第２実施例のコネクタとほぼ同構造であるが、図２１に示すように、第１の絶縁シート８−１′が、第１の可動端子７−１の上端部７１に固着され、第２の絶縁シートと８−２′が、第２の可動端子７−２の上端部７１に固着されている。
【００３９】
かかる構成により、プローブ１をコネクタ２に接続し、プローブ１の突出部４０′を第１の孔８１′に貫通させることで、第１の可動端子７−１と固定端子７とが電気的に非接続状態になり、第２の接続経路が実現される。
また、プローブ１の突出部４０′を第２の孔８２′に貫通させることで、第２の可動端子７−２と固定端子７とが電気的に非接続状態になり、第３の接続経路が実現される。
なお、この際、第１の絶縁シート８−１′（第２の絶縁シートと８−２′）が、プローブ１の突出部４０′と第１の可動端子７−１（第２の可動端子７−２）の上端部７１との間に介在しているので、プローブ１の突出部４０′と第１の可動端子７−１（第２の可動端子７−２）とは電気的に絶縁された状態になっている。
その他の構成、作用及び効果は、上記第２実施例と同様であるので、その記載は省略する。
【符号の説明】
【００４０】
１…プローブ、  ２…コネクタ、  ３…針状体、  ４…円筒体、  ４ａ…側面、  ４ｂ…先端面、  ５…ハウジング、  ６…ブロック、  ７…固定端子、  ７−１…第１の可動端子、  ７−２…第２の可動端子、  ８…絶縁性部材、  ８−１…第１の絶縁性部材、  ８−１′…第１の絶縁シート、  ８−２…第２の絶縁性部材、  ８−２′…第２の絶縁シートと、  ４０，４０′…突出部、  ５０…収納部、  ５０ａ…上面、  ５０ｂ…接続部、  ５１…円筒部、  ６０…端子保持部、  ６０ａ…前面、  ６０ｂ…後面、  ６１…円柱部、  ６３…針状体挿入孔、  ６４…窓、  ６５…切り欠き、  ７１…上端部、  ７２…下端部、  ８１，８１′…第１の孔、  ８２，８２′…第２の孔、  ２００…無線通信機、  ２０１…アンテナ、  ２０２，２１１…線路、  ２１０…ＲＦ回路、  ２２０…基板、  ２３０…グランド、  ２３１…グランド用ランド、  ３０１…同軸ケーブル、  ３０２…内部導体、  ３０３…外部導体、  ３１０…検査装置。
【図１】
0005557104.tif 000002
【図２】
0005557104.tif 000003
【図３】
0005557104.tif 000004
【図４】
0005557104.tif 000005
【図５】
0005557104.tif 000006
【図６】
0005557104.tif 000007
【図７】
0005557104.tif 000008
【図８】
0005557104.tif 000009
【図９】
0005557104.tif 000010
【図１０】
0005557104.tif 000011
【図１１】
0005557104.tif 000012
【図１２】
0005557104.tif 000013
【図１３】
0005557104.tif 000014
【図１４】
0005557104.tif 000015
【図１５】
0005557104.tif 000016
【図１６】
0005557104.tif 000017
【図１７】
0005557104.tif 000018
【図１８】
0005557104.tif 000019
【図１９】
0005557104.tif 000020
【図２０】
0005557104.tif 000021
【図２１】
0005557104.tif 000022
【図２２】
0005557104.tif 000023
【図２３】
0005557104.tif 000024
【図２４】
0005557104.tif 000025
【図２５】
0005557104.tif 000026
【図２６】
0005557104.tif 000027